(57)【要約】【課題】容易なシステム構成で光無線通信によりカメラによる撮像データを取得すること。【解決手段】実施形態にかかる照明装置は、光源と制御ユニットと撮像手段とを具備する。制御ユニットは、光源の点灯制御および光源を点灯制御することで光源からの光通信が可能となる光通信制御を行う。撮像手段は、制御ユニットから電源が供給され、かつ、少なくとも制御ユニットにより光源が点灯されている場合に、光源により照射された範囲を撮像可能であり、かつ、制御ユニットに撮像データを送信する。【選択図】図３
2020145005.tif 000002
【特許請求の範囲】
【請求項１】
光源と；
前記光源の点灯制御および前記光源を点灯制御することで前記光源からの光通信が可能となる光通信制御を行う制御ユニットと；
前記制御ユニットから電源が供給され、かつ、少なくとも前記制御ユニットにより前記光源が点灯されている場合に、前記光源により照射された範囲を撮像可能であり、かつ、前記制御ユニットに撮像データを送信する撮像手段と；
を具備することを特徴とする照明装置。
【請求項２】
前記光源を収容する長尺状の筐体を有し、
前記制御ユニットは、前記筐体のうち、前記光源を収容する領域の長尺方向の略中心位置よりも、前記筐体に設置される前記撮像手段寄りの位置に収容される
請求項１に記載の照明装置。
【請求項３】
前記制御ユニットは、第１のモードで動作可能とし、前記第１のモードでは前記光源を第１の点灯態様で点灯させるとともに、前記撮像手段による撮像を実行させないことを設定することできる
請求項１または２に記載の照明装置。
【請求項４】
前記制御ユニットは、第２のモードで動作可能とし、前記第２のモードでは前記撮像手段による撮像が可能となる程度の照度を示す第２の点灯態様であって、撮像による記録化を主目的とする第２の点灯態様で前記光源を点灯させるとともに、前記撮像手段による撮像を実行させる
請求項３に記載の照明装置。
【請求項５】
前記制御ユニットは、第３のモードで動作可能とし、前記第３のモードでは前記撮像手段によって撮影された撮像データが外部へ送信されている間、前記第１の点灯態様および前記第２の点灯態様とは異なる点灯態様である第３の点灯態様で前記光源を点灯させる
請求項４に記載の照明装置。
【請求項６】
前記制御ユニットは、ユーザの本人性が認証された場合に、前記撮像データが外部に送信されるよう制御する
請求項１〜５のいずれか１つに記載の照明装置。
【請求項７】
前記制御ユニットは、前記撮像データに含まれる撮像対象の状態に応じて、前記撮像データが外部に送信されるよう制御する
請求項１〜６のいずれか１つに記載の照明装置。
【請求項８】
前記撮像手段が撮像した撮像データを記録する記憶部をさらに有し、
前記撮像手段は、前記撮像データに対応するエリアであって、撮像された所定のエリア内での人物の状況が所定の条件を満たす場合に、前記撮像データを前記記憶部に記憶させる
請求項１〜７のいずれか１つに記載の照明装置。
【請求項９】
無線通信可能な通信部を有し、
前記制御ユニットは、前記光源による光通信または前記通信部による無線通信により、前記撮像手段が撮像した撮像データを外部に送信する
請求項１〜８のいずれか１つに記載の照明装置。
【発明の詳細な説明】
【技術分野】
【０００１】
本発明の実施形態は、照明装置に関する。
【背景技術】
【０００２】
従来、防犯カメラで撮影した映像を光無線通信により照明装置から送信する技術がある。例えば、特許文献１に記載の照明装置は、監視カメラによって撮影されたエレベーターの乗りかご内の録画映像を光無線通信により端末装置に送信する。
【先行技術文献】
【特許文献】
【０００３】
【特許文献１】特開２０１８−２４０２号公報
【発明の概要】
【発明が解決しようとする課題】
【０００４】
例えば、上記の従来技術では、保守作業モードを検出し、かつ、エレベーターの乗りかごの扉の閉状態を検出した場合に、監視カメラが撮影した映像を録画する記録装置内の映像データを端末装置に送信している。このようなことから、上記の従来技術では、カメラの動作自体はシステムから独立しており、また、データ通信を行うためには複雑なシステム構成が必要とされる。例えば、上記の従来技術では、光源を点灯させながら画像情報を取得する場合であっても監視カメラと光源とを別々に制御することになるためシステム構成が複雑であった。
【０００５】
本発明が解決しようとする課題は、光無線通信によりカメラによる撮像データを取得する場合でもシステム構成が複雑にならない照明装置を提供することである。
【課題を解決するための手段】
【０００６】
実施形態にかかる照明装置は、光源と制御ユニットとカメラとを具備する。制御ユニットは、前記光源の点灯制御および前記光源を点灯制御することで光源からの光通信が可能となる光通信制御を行う。撮像手段は、前記制御ユニットから電源が供給され、かつ、少なくとも前記制御ユニットにより前記光源が点灯されている場合に、前記光源により照射された範囲を撮像可能であり、かつ、前記制御ユニットに撮像データを送信する。
【発明の効果】
【０００７】
本発明によれば、容易なシステム構成で光無線通信によりカメラによる撮像データを取得することができる。
【図面の簡単な説明】
【０００８】
【図１】図１は、実施形態にかかる照明装置の外観例を示す斜視図である。
【図２】図２は、撮像ユニットおよび収容部の一例を示す分解斜視図である。
【図３】図３は、実施形態にかかる照明装置の構成の一例を模式的に示すブロック図である。
【図４】図４は、実施形態にかかる記憶部の一例を示す図である。
【図５】図５は、実施形態にかかる制御ユニットの設置態様の一例を模式的に示す図である。
【発明を実施するための形態】
【０００９】
以下に説明する実施形態にかかる照明装置１は、光源２と制御ユニット７とカメラ３３とを具備する。制御ユニット７は、光源２の点灯制御および光源２を点灯制御することで光源２からの光通信が可能となる光通信制御を行う。撮像ユニット３は、制御ユニット７から電源が供給され、かつ、少なくとも制御ユニット７により光源２が点灯されている場合に、光源２により照射された範囲を撮像可能であり、かつ、制御ユニット７に撮像データを送信する。
【００１０】
以下に説明する実施形態にかかる照明装置１は、光源２を収容する長尺状の筐体４０を有する。制御ユニット７は、筐体４０のうち、光源２を収容する領域の長尺方向の略中心位置よりも、筐体４０に設置される撮像ユニット３寄りの位置に収容される。
【００１１】
以下に説明する実施形態にかかる制御ユニット７は、第１のモードで動作可能とし、第１のモードでは光源２を第１の点灯態様で点灯させるとともに、撮像ユニット３による撮像を実行させないことを設定することできる。
【００１２】
以下に説明する実施形態にかかる制御ユニット７は、第２のモードで動作可能とし、第２のモードではカメラ３３による撮像が可能となる程度の照度を示す第２の点灯態様であって、撮像による記録化を主目的とする第２の点灯態様で光源２を点灯させるとともに、撮像ユニット３による撮像を実行させる。
【００１３】
以下に説明する実施形態にかかる制御ユニット７は、第３のモードで動作可能とし、第３のモードでは撮像ユニット３によって撮影された撮像データが外部へ送信されている間、第１の点灯態様および第２の点灯態様とは異なる点灯態様である第３の点灯態様で光源２を点灯させる。
【００１４】
以下に説明する実施形態にかかる制御ユニット７は、ユーザの本人性が認証された場合に、撮像データが外部に送信されるよう制御する。
【００１５】
以下に説明する実施形態にかかる制御ユニット７は、撮像データに含まれる撮像対象の状態に応じて、撮像データが外部に送信されるよう制御する。
【００１６】
以下に説明する実施形態にかかる照明装置１は、撮像ユニット３が撮像した撮像データを記憶する記憶部３４を有する。撮像ユニット３は、撮像データに対応するエリアであって、撮影された所定のエリア内での人物の状況が所定の条件を満たす場合に、撮像データを記憶部３４に記憶させる。
【００１７】
以下に説明する実施形態にかかる照明装置１は、無線通信可能な通信部１３ｄを有する。制御ユニット７は、光源２による光通信または通信部１３ｄによる無線通信により、撮像ユニット３が撮像した撮像データを外部に送信する。
【００１８】
［実施形態］
図１は、実施形態にかかる照明装置の外観例を示す斜視図である。図１に示すように、照明装置１は、光源２（照明部２）、拡散カバー２０、遮光カバー３０、筐体４０を有する。照明装置１は、筐体４０が天井面へ設置され、光源２から出力される光が照射面の一例である床面へと照射される天井直付けタイプの照明装置である。また、照明装置１は、外部機器である撮像ユニット３を有する。撮像ユニット３を有する照明装置１は、盗難対策のための監視の用途で使用される。一例を示すと、照明装置１は、公共の駐輪場に設置されることで、対象ユーザの自転車を監視する用途で使用される。また、別の一例を示すと、照明装置１は、自動車車庫に設置されることで、対象ユーザの自動車を監視する用途で使用される。さらに、別の一例を示すと、照明装置１は、店舗内に設置されることで、例えば、万引き対策のために対象ユーザを監視する用途で使用される。
【００１９】
なお、説明を分かりやすくするために、図１には、鉛直下向きを正方向とし、鉛直上向きを負方向とするＺ軸を含む３次元の直交座標系を図示している。また、Ｘ軸は照明装置１の長尺方向に、Ｙ軸は照明装置１の幅方向に、それぞれ沿うように図示している。
【００２０】
光源２は、Ｘ軸方向に沿うように配置された、長尺状のシャーシまたは基板（不図示）上に所定の間隔で配置された複数の発光素子（不図示）を有し、シャーシとの間に発光素子が収容されるよう床面側、すなわちＺ軸正方向側に拡散カバー２０が設けられた照明バーである。また、本実施形態では、発光素子はＬＥＤであるものとし、これにより光源２は、ＬｉＦｉ（Light  Fidelity）等の光無線通信に対応している。具体的には、光源２は、ＬｉＦｉによりカメラ３３により撮像された撮像データを外部の端末装置に送信する。例えば、光源２は、光信号に変換された撮像データをＬｉＦｉによって外部の端末装置に送信する。
【００２１】
拡散カバー２０は、例えば、アクリルやポリカーボネート等の透光性の材料から作られている。拡散カバー２０は、フロスト処理が施されて複数の発光素子から出射される光を拡散する機能を有するようになっている。なお、拡散カバー２０に適宜拡散材や着色剤を混入させてもよい。
【００２２】
撮像ユニット３は、後述するカメラを有し、光源２のＸ軸負方向側に隣り合うように並んで配置される。撮像ユニット３は、撮像機能を有する機能ユニットの一例である。撮像ユニット３のＺ軸正方向側には遮光カバー３０が配設され、遮光カバー３０と筐体４０との間に形成された凹部である収容部５０に撮像ユニット３が収容される。このようなことから、カメラは、遮光カバー３０と筐体４０との間に形成された凹部である収容部５０に収容される。また、遮光カバー３０で撮像ユニット３を覆うことで、照明部２の拡散カバー２０から照射された光をカメラのレンズに入り込みにくくすることができる。また、遮光カバー３０は、例えば撮像ユニット３の絶縁性や防水性の向上にも寄与する。遮光カバー３０は、カバー部材の一例である。
【００２３】
次に、遮光カバー３０および収容部５０についてさらに説明する。図２は、撮像ユニットおよび収容部の一例を示す分解斜視図である。
【００２４】
遮光カバー３０は、撮像ユニット３が有するカメラのレンズ３ａと対向する位置に設けられた貫通口３５を有する。これにより、撮像ユニット３の撮像機能が確保される。
【００２５】
また、遮光カバー３０は、筐体４０に向けて照明装置１の厚み方向に突出する突出部３６を有する。突出部３６は、筐体４０の内面４１に当接するように固定または載置される。また、遮光カバー３０は、照明装置１の長尺方向に沿うように拡散カバー２０側に向かって延びる保持部３７を有する。保持部３７は、光源２を覆う拡散カバー２０と干渉することで、遮光カバー３０がより確実に保持される。
【００２６】
筐体４０は、天井面に取り付けられる取付板４３と、照明装置１の厚み方向に取付板４３の外縁を囲むように配設された周壁４２とを有する。筐体４０は、周壁４２および取付板４３と、拡散カバー２０および遮光カバー３０との間に形成された収容部５０に収容された光源２および撮像ユニット３を保持する。なお、筐体４０は、一体に形成されてもよい。また、周壁４２は、例えば照明装置１の長さ方向と幅方向とがそれぞれ別部材として形成されたものであってもよい。
【００２７】
なお、図２の例では、撮像ユニット３が遮光カバー３０と筐体４０との間に形成された凹部である収容部５０に収容されているが、撮像ユニット３は、例えば、筐体４０に隣接する形で筐体４０の外部に設置されてもよい。
【００２８】
次に、照明装置１の機能的構成について説明する。図３は、実施形態にかかる照明装置の構成の一例を模式的に示すブロック図である。
【００２９】
図３に示すように、照明装置１は、接続部６、本体部４、光源２、撮像ユニット３を備える。接続部６は、照明装置１を動作させる各種ケーブルの接続用の端子が配置された端子台である。
【００３０】
本体部４は、制御ユニット７、接続端子１６、記憶部１７を有する。制御ユニット７は、電源部１３ａ、制御部１３ｂ、変換部１３ｃ、通信部１３ｄを有する。
【００３１】
制御ユニット７の一例である電源部１３ａは、接続部６を介して交流電源２１から供給された交流電力を直流電力に変換して出力する電源回路を有する。電源回路は、例えばＡＳＩＣ（Application  Specific  Integrated  Circuit）等の集積回路を採用できる。また、交流電源２１は、例えば商用電源である。
【００３２】
記憶部１７は、カメラ３３によって撮像された撮像データを記憶する。ここで、図４に実施形態にかかる記憶部１７の一例を示す。図４の例では、記憶部１７は、「ユーザＩＤ」、「日付」、「撮像データ」といった項目を有する。
【００３３】
「ユーザＩＤ」は、ユーザまたはユーザの端末装置Ｔを識別する識別情報を示す。「日付」は、カメラ３３によって撮像が行われた日付を示す。「撮像データ」は、カメラ３３による撮像で得られた撮像データを示す。「撮像データ」は、動画像または静止画像のデータである。また、記憶部１７は、制御ユニット７内に設けられてもよい。
【００３４】
電源部１３ａは、光源２の点灯制御を行う。例えば、電源部１３ａは、直流電流を所定の電圧（例えば、５０Ｖ）で光源２へ給電し、発光素子１５の点灯を制御する。具体的には、電源部１３ａは、制御部１３ｂから出力された制御信号に従って、発光素子１５の点灯、消灯、照度の変更、色の変更等を行う。さらに、電源部１３ａは、直流電流を所定の電圧（例えば、５Ｖ）に変換し、撮像ユニット３へ給電する。
【００３５】
また、制御ユニット７の一例である制御部１３ｂは、光源２の点灯制御および光源２を点灯制御することで光源からの光通信が可能となる光通信制御を行う。例えば、制御部１３ｂは、カメラ３３によって撮像された撮像データが光通信（例えば、ＬｉＦｉによる光通信）によって光源２から外部（例えば、端末装置Ｔ）へ送信されるように制御する。光源２はＬｉＦｉで撮像データを送信可能であるため、例えば、制御部１３ｂは、光源２に対して、ＬｉＦｉにより撮像データを端末装置Ｔに送信するよう制御する。より詳細には、例えば、制御部１３ｂは、記憶部に３４に記憶された撮像データを変換部１３ｃにより光通信信号に変換させる。そして、制御部１３ｂは、この光通信信号を光源２に送信することにより、光源２に対して、ＬｉＦｉにより撮像データを送信するよう制御する。なお、制御部１３ｂは、撮像データを端末装置Ｔに送信する際には、撮像ユニット３にアクセスすることで撮像ユニット３から送信された撮像データを取得する。そして、制御部１３ｂは、取得した撮像データを記憶部１７に格納する。そして、制御部１３ｂは、取得した撮像データが端末装置Ｔに送信されるよう制御する。
【００３６】
また、通信部１３ｄは、無線通信を行う。例えば、通信部１３は、ＷｉＦｉによる無線通信を行う。このため、制御部１３ｂは、カメラ３３によって撮像された撮像データが無線通信（例えば、ＷｉＦｉによる無線通信）によって通信部１３ｄから外部（例えば、端末装置Ｔ）へ送信されるように制御してもよい。例えば、制御部１３ｂは、通信部１３ｄに対して、ＷｉＦｉにより撮像データを端末装置Ｔに送信するよう制御する。
【００３７】
また、制御部１３ｂは、端末装置Ｔからのアクセスとして、例えば、端末装置Ｔから撮像データの配信要求を受信した場合に、かかる端末装置Ｔに撮像データが送信されるよう制御する。このようなことから、端末装置Ｔには、例えば、照明装置１へのアクセスを可能にする所定のアプリケーション（例えば、監視アプリ）が予めインストールされる。これにより、制御部１３ｂは、アクセス元の端末装置Ｔがどのユーザに対応する端末装置であるかを識別可能になるため、記憶部１７または記憶部３４に記憶される撮像データのうち、アクセス元の端末装置Ｔを所有するユーザに対応する撮像データがアクセス元の端末装置Ｔに送信されるよう制御する。ユーザに対応する撮像データとは、図４の例のように、ユーザＩＤで識別される撮像データを示す。例えば、アクセス元の端末装置Ｔを所有するユーザがユーザＵ１である場合、ユーザＵ１に対応する撮像データは、記憶部３４に記憶される撮像データのうち、ユーザＩＤ「Ｕ１」が対応付けられる撮像データである。
【００３８】
なお、制御部１３ｂは、カメラ３３によりユーザが検出された場合に、このユーザの端末装置Ｔにこのユーザに対応する撮像データが送信されるよう制御してもよい。例えば、制御部１３ｂは、カメラ３３によりユーザが検出された場合において、以下のようにこのユーザの本人性が認証された場合には、このユーザに対応する撮像データを送信する。
【００３９】
例えば、制御部１３ｂは、ユーザの本人性を認証する認証処理を行い、本人性を認証できた場合にのみ、かかるユーザに対応する撮像データが端末装置Ｔに送信されるよう制御してもよい。例えば、制御部１３ｂは、所定の公知技術を用いて認証処理を行うことができる。一例を示すと、制御部１３ｂは、アクセス元の端末装置Ｔを所有するユーザの顔画像であって、カメラ３３によるリアルタイムの撮像によって得られた現在の顔画像に基づいて顔認証を行うことができる。また、制御部１３ｂは、例えば、上記顔認証処理と、ＷｉＦｉ通信による端末装置Ｔの認証処理とを組み合わせることにより精度の高い認証処理を行ってもよい。このような認証処理を行うことにより、実施形態にかかる照明装置１は、アクセスしてきたユーザが確かに本人であるとの確証が得られた場合にのみ、そのユーザに対応する撮像データをそのユーザの端末装置Ｔに送信することができるため、セキュアなデータ通信を実現することができる。
【００４０】
なお、制御部１３ｂは、アクセス元の端末装置Ｔを識別する識別情報（端末ＩＤ）を用いたマッチングによる認証処理を行ってもよい。また、制御部１３ｂは、端末装置Ｔからのアクセスに応じて、パスコードの入力を求め、入力されたパスコードを用いた認証処理を行ってもよい。
【００４１】
また、かかる例では、制御部１３ｂが認証処理を行う例を示したが、認証処理は制御部１３ｂ以外の処理部によって行われてもよい。例えば、照明装置１は、認証処理を行う認証部をさらに具備してもよい。
【００４２】
また、制御部１３ｂは、撮像データに含まれる撮像対象の状態に応じて、撮像データが端末装置Ｔに送信されるよう制御してもよい。例えば、制御部１３ｂは、撮像データを解析することで撮像データに含まれる人物を判断する。そして、制御部１３ｂは、撮像データから人物が映っている部分のデータを抽出し、抽出したデータを端末装置Ｔに送信する。例えば、ユーザが自身の自転車の盗難対策のために、自身の自転車の状況をチェックしたい場合、自身の自転車に人物が近づいたときの撮像データを欲する。このため、撮像データのうち、人物が映っている部分のデータのみが送信されると、ユーザは、手作業で人物が映っている部分を探す必要がなくなるため便利である。このようなことから、実施形態にかかる照明装置１は、ユーザにとって利便性の高いデータ通信を実現することができる。
【００４３】
また、制御部１３ｂは、カメラ３３による現在の撮像によって得られた撮像データがリアルタイムで端末装置Ｔに送信されるよう制御してもよい。これにより、例えば、照明装置１の管理者は、カメラ３３の現在の撮像領域（撮像範囲）がどのようになっているかを把握することができるようになるため、例えば、照明装置１を設置時に、カメラ３３の撮像領域を確認するとともに、カメラ３３の撮像領域の一部を撮像しない領域に設定することができるようになる。また、例えば、照明装置１の管理者は、端末装置Ｔを用いて撮像データを確認しながら撮像領域を容易に設定することができるようになる。
【００４４】
また、制御部１３ｂは、ユーザに対応する撮像データであって、過去の任意の時点での撮像データをユーザが自由に閲覧できるよう制御し、制御した撮像データを送信させてもよい。例えば、制御部１３ｂは、過去の各撮像データの見出しを時系列順に端末装置Ｔに一覧表示させ、ユーザに選択された見出しに対応する撮像データをダウンロードできるよう端末装置Ｔに送信させる。
【００４５】
また、制御部１３ｂは、撮像データがダウンロードされた段階でダウンロードされた撮像データのうち、任意の時間位置の撮像データをユーザが選択できるよう、かかる撮像データを制御して送信させてもよい。また、制御部１３ｂは、所定の撮像データに対してフラグを付与しておくことで、フラグが付与された撮像データが選択された場合に、この撮像データをダウンロード対象としてもよい。また、照明装置１が自転車の盗難対策のための監視の用途で使用される場合を想定すると、制御部１３ｂは、公共の駐輪場にて料金を支払って自転車を駐輪させているユーザを認証できた場合にのみ、このユーザに撮像データを送信してもよい。
【００４６】
なお、制御ユニット７は、状況に応じて、通信方式としてＷｉＦｉまたはＬｉＦｉのいずれを使用するかを決定することができる。例えば、制御ユニット７は、周囲環境が明るい昼間の時間帯ではＷｉＦｉを利用して撮像データを送信させることを決定し、光源２の点灯が必要となる夜間の時間帯ではＬｉＦｉを利用して撮像データを送信させることを決定してもよい。
【００４７】
また、制御ユニット７は、カメラ３が送信先の端末装置Ｔを撮影できない等により、送信先の端末装置Ｔが壁等の障害物で遮られていると推測される場合には、ＷｉＦｉを利用して撮像データを送信させることを決定する。一方、制御ユニット７は、カメラ３が送信先の端末装置Ｔを撮影できることにより、送信先の端末装置Ｔが壁等の障害物で遮られていないと推測される場合には、ＬｉＦｉを利用して撮像データを送信させることを決定する。また、制御ユニット７は、光源２の点灯が必要のない昼間の時間帯ではＷｉＦｉを利用して撮像データを送信させることを決定し、光源２の点灯が必要となる夜間の時間帯ではＬｉＦｉを利用して撮像データを送信させることを決定してもよい。
【００４８】
また、制御ユニット７は、送信先の端末装置Ｔを有するユーザの周辺が混雑している場合には、ＷｉＦｉを利用して特定のユーザのみに撮像データを送信させることを決定し、混雑していない場合には、ＬｉＦｉを利用して撮像データを送信させることを決定してもよい。
【００４９】
そして、制御部１３ｂは、制御ユニット７によりＷｉＦｉ利用でのデータ通信に切り替えられた場合にはＷｉＦｉで撮像データを送信し、制御ユニット７によりＬｉＦｉ利用でのデータ通信に切り替えられた場合には、光源２に対してＬｉＦｉで撮像データを送信するよう制御する。
【００５０】
接続端子１６は、撮像ユニット３を本体部４に接続するための外部機器接続用のコネクタである。接続端子１６は、例えば、ＵＳＢ（Universal  Serial  Bus）端子、ＩＥＥＥ（The  Institute  of  Electrical  and  Electronic  Engineers）１３９４端子、またはＬｉｇｈｔｎｉｎｇ（登録商標）端子である。また、接続端子１６は、例えば、ＤＣ入力端子またはＡＣ入力端子といった通信機能を持たない給電用の端子であってもよい。
【００５１】
光源２は、複数の発光素子１５を有する。発光素子１５は、シャーシ上の配線パターンにそれぞれ接続されており、電源部１３ａから直流出力が供給され、制御ユニットの一例である電源部１３ａにより点灯制御される。発光素子１５は、例えばセラミックスで形成された本体に配設されたＬＥＤチップと、このＬＥＤチップを封止するエポキシ系樹脂やシリコーン樹脂等のモールド用の透光性樹脂とを含む。
【００５２】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光、あるいは白色光を発するものであってもよい。また、透光性樹脂は、乳白色を有し、光を拡散させる拡散部材であってもよい。
【００５３】
また、ＬＥＤは、ＬＥＤチップを直接光源２が有するシャーシまたは基板に実装するようにしてもよく、また、砲弾型のＬＥＤを実装するようにしてもよく、実装方式や形式は、特に限定されるものではない。
【００５４】
撮像ユニット３は、接続端子３１、撮像制御部３２、カメラ３３、記憶部３４を有する。接続端子３１は、接続端子１６に接続されるコネクタである。接続端子３１は、例えばＵＳＢ端子など、接続端子１６の種別に対応したコネクタが採用される。接続端子３１が接続端子１６に接続されることにより、照明装置１から撮像ユニット３への給電が行われ、撮像ユニット３は使用可能となる。
【００５５】
記憶部３４は、カメラ３３によって撮像された撮像データを記憶する。記憶部３４の内部構成は、記憶部１４と同様であってよく、例えば、図４に示す通りである。
【００５６】
撮像制御部３２は、カメラ３３による撮像を制御する。また、撮像制御部３２は、カメラ３３による撮像によって撮像データを記憶部３４に記憶させる（カメラ３３が、撮像データを直接記憶部３４に記憶させてもよい）。また、撮像制御部３２は、制御ユニット７から電源が供給され、かつ、少なくとも制御ユニット７により光源２が点灯されている場合に、光源２により照射された範囲を撮像するようカメラ３３を制御し、また、制御ユニット７に撮像データを送信する。例えば、撮像制御部３２は、制御部１３ｂからのアクセス（要求）を受信すると、要求に対応する撮像データを記憶部３４から抽出する。そして、撮像制御部３２は、抽出した撮像データを制御ユニット７に送信する。
【００５７】
カメラ３３は、例えばＣＣＤ（Charge  Coupled  Device）やＣＭＯＳ（Complementary  Metal  Oxide  Semiconductor）など、電子的に画像を取得する撮像素子を備える。また、カメラ３３は、制御ユニット７（電源部１３ａ）から電源が供給され、かつ、制御ユニット７により光源２が点灯されている場合に、光源２により照射される範囲を撮像する。言い換えれば、撮像制御部３２は、制御ユニット７（電源部１３ａ）から電源が供給され、かつ、制御ユニット７により光源２が点灯されている場合にカメラ３３を制御することで、カメラ３３に撮像を行わせる。これにより、実施形態にかかる照明装置１は、明るさで鮮明な撮像データをユーザに提供することができる。
【００５８】
このように、本実施形態では、撮像ユニット３側が撮像データを記憶する記憶部３４を有しており、撮像ユニット３が撮像から記録化（記憶化）までを行う。そして、撮像ユニット３は、撮像データを読み出す必要がある場合（例えば、制御ユニット７がアクセスしてきた場合）にだけ、適宜、記憶部３４から撮像データを抽出し制御ユニット７に送信する。すなわち、本実施形態では、撮像機能（撮像ユニット３）と点灯機能（制御ユニット７）との機能が独立している。このような構成を採用することにより、例えば、各機能が影響し合わない（干渉し合わない）ため、不具合が生じにくい照明装置１とすることができる。
【００５９】
また、本実施形態では、仮に、撮像ユニット３が故障したとしても、点灯機能（制御ユニット７）には影響を与えず撮像ユニット３を交換および修理することができる。言い換えれば、本実施形態では、撮像ユニット３が故障したとしても、点灯機能（制御ユニット７）には影響を与えないようにすることができるため、照明装置としての機能は継続発揮させることができる。
【００６０】
また、本実施形態では、撮像ユニット３および制御ユニット７との間で電源が共有（共用）されてるため、例えば、撮像時や撮像データが記憶部３４から抽出される際にも電源を撮像ユニット３に対して供給することができる。このようなことから、実施形態にかかる照明装置１は、制御ユニット７側に撮像データが記憶される記憶部を設定する必要がないため、簡単な構成、システムで照明制御、撮像記録化、記録の読み出しを行うことができるようになる。また、本実施形態では、照明機能側には記憶部１７が設けられることで、撮像ユニット３の故障等により記憶部３４内の撮像データが消去されてしまった場合におけるバックアップとしての役割を持たせることができる。
【００６１】
なお、図３に示すように、ここまでの例では、照明装置１が、点灯機能側に記憶部１７、撮像機能側に記憶部３４といったように、双方の機能に対応する各記憶部を有する例を示した。しかしながら、照明装置１は、記憶部１７だけを有してもよい。かかる場合、例えば、撮像制御部３２は、カメラ３３によって撮像データが得られる度にこの撮像データを制御ユニット７に送信する。また、照明装置１は、記憶部３４だけを有してもよい。かかる場合、例えば、撮像制御部３２は、制御部１３ｂからアクセス（要求）を受信する度に、要求に対応する撮像データを記憶部３４から抽出し制御ユニット７に送信する。また、制御部１３ｂは、撮像制御部３２から取得した撮像データの利用が完了すると（例えば、ユーザへの送信が完了すると）、この撮像データを削除してよい。
【００６２】
また、撮像制御部３２は、光源２により照射される照射範囲を撮像するようカメラ３３を制御する。例えば、撮像制御部３２は、照射範囲よりカメラ３３の撮像範囲が広い場合には、照射範囲を撮像するようカメラ３３を制御する。また、例えば、撮像制御部３２は、照射範囲よりカメラ３３の撮像範囲が狭い場合には、照射範囲を撮像するようカメラ３３を制御する。また、例えば、撮像制御部３２は、照射範囲およびカメラ３３の撮像範囲の少なくとも一部が重複している場合には、照射範囲を撮像するようカメラ３３を制御する。
【００６３】
なお、照明装置１は、第１〜第３のモードを有する。このため、制御ユニット７、より具体的には、制御部１３ｂは、現在設定されているモードで動作することができる。第１のモードは、「通常点灯モード」と言い換えることができ、例えば、制御部１３ｂは、照明装置１が第１のモードで動作するよう制御されている場合には、電源部１３ａを制御することにより、第１のモードに対応する第１の点灯態様で光源２を点灯させるとともに、カメラ３３による撮像を実行させないことを設定することができる。例えば、制御部１３ｂは、照明装置１が第１のモードで動作するよう制御されている場合には、照度１００％の光（第１の点灯態様の一例）で光源２を点灯させる。また、撮像制御部３２は、照明装置１が第１のモードで動作するよう制御されている場合には、制御部１３ｂからの指示を受けて、カメラ３３に対して撮像を行わないよう制御する。
【００６４】
また、第２のモードは、「撮影モード」と言い換えることができ、例えば、制御部１３ｂは、照明装置１が第２のモードで動作するよう制御されている場合には、電源部１３ａを制御することにより、第１の点灯態様とは異なる点灯態様である第２の点灯態様で光源２を点灯させるとともに、カメラ３３による撮像を実行させる。例えば、制御部１３ｂは、照明装置１が第２のモードで動作するよう制御されている場合には、カメラ３３が撮影できる必要最低限の照度があればよく、照度照度５０％の光（第２の点灯態様の一例）で光源２を点灯させる。これにより、実施形態にかかる照明装置１は、光源２の点灯態様の変化により、撮像中であることをユーザに容易に認識させることができる。
【００６５】
また、例えば、制御部１３ｂは、照明装置１が第２のモードで動作するよう制御されている場合には、カメラ３３による撮像が可能となる程度の照度を示す第２の点灯態様であって、撮像による記録化を主目的とする第２の点灯態様で光源２を点灯させるとともに、カメラ３３による撮像を実行させる。
【００６６】
また、第３のモードは、「通信モード」と言い換えることができ、例えば、制御部１３ｂは、照明装置１が第３のモードで動作するよう制御されている場合には、カメラ３３によって撮影された撮像データが端末装置Ｔへ送信されている間、第１の点灯態様および第２の点灯態様とは異なる点灯態様である第３の点灯態様で光源２を点灯させる。例えば、制御部１３ｂは、照明装置１が第３のモードで動作するよう制御されている場合には、電源部１３ａに対して、光源２を制御させることにより発光素子１５を点滅（第３の点灯態様の一例）させる。これにより、実施形態にかかる照明装置１は、ユーザに対してデータ通信中であることを容易に認識させることができるため、データ通信中に周囲に人がいないか確認するなどして、データ通信中のセキュリティを向上させることができる。
【００６７】
なお、上記例では、第１の点灯態様が照度１００％での点灯、第２の点灯態様が照度５０％での点灯、第３の点灯態様が点滅である例を示したが、第１の点灯態様、第２の点灯態様および第３の点灯態様それぞれが互いに異なる点灯態様であれば、電源部１３ａは、各モードにおいてどのような点灯態様で光源２を点灯させるかは限定されない。
【００６８】
ここで、撮像ユニット３には、光源２に電源が供給されないため光源２を点灯させることができない場合には、カメラ３３に対して撮像を行わないよう制御する非撮影モードも存在する。光源２に電源が供給されないため光源２を点灯させることができない状況下で撮影が行われたとしても、カメラ３３は、鮮明な撮像データを得ることはできない。したがって、撮像制御部３２は、撮像ユニット３が非撮影モードである場合には、カメラ３３に対して撮像を行わないよう制御する。
【００６９】
なお、上記のようなモード設定は、例えば、ユーザが端末装置Ｔを操作することにより行われてもよい。かかる場合、端末装置Ｔは、ユーザ操作に応じて、照明装置１に対して、モード設定を指示する。また、上記のような複数のモードは、任意の組み合わせで共存させて設定されてもよい。
【００７０】
また、カメラ３３（撮像制御部３２でもよい）は、所定のエリア内での人物の状況が所定の条件を満たす場合に、撮像データを記憶部３４に記憶する。例えば、カメラ３３は、所定のエリア内での人物の状況が所定の条件を満たす場合に、この人物を撮像し、撮像データを記憶部３４に記憶する。例えば、カメラ３３は、所定の条件を満たす場合として、所定のエリア内に居る人物の数が所定数より多い場合には、人物を撮像する。この点言い換えると、撮像制御部３２は、所定のエリア内での人物の状況が所定の条件を満たす場合に、この人物を撮像するようカメラ３３を制御する。例えば、撮像制御部３２は、所定の条件を満たす場合として、所定のエリア内に居る人物の数が所定数より多い場合には、人物を撮像するようカメラ３３を制御する。例えば、照明装置１が自転車の盗難対策のための監視の用途で使用される場合、所定のエリアは、照明装置１が設置される駐輪場内となる。また、例えば、照明装置１が店舗における万引き対策のための監視の用途で使用される場合、所定のエリアは、照明装置１が設置される店舗内となる。
【００７１】
例えば、所定のエリア内に居る人物の数が所定数より多い場合、すなわち所定のエリア内が混雑している場合には、対象物が盗難されるリスクが高まる。実施形態にかかる照明装置１は、このような状況下で撮影を行わすことができるため、省エネかつ高度な防犯対策を実現することができる。
【００７２】
なお、カメラ３３は、所定の条件を満たす場合として、不審な動きをしている人物を検知すると、この人物を撮像し、撮像データを記憶部３４に記憶してもよい。これにより、実施形態にかかる照明装置１は、万引き防止に貢献することができる。
【００７３】
［変形例］
上述の実施形態は一例を示したものであり、種々の変更および応用が可能である。
【００７４】
例えば、上記した実施形態では、照明装置１は、例えば、制御ユニット７が筐体４０に収容された構成である例を示した。ここで、例えば、制御ユニット７は、筐体４０のうち、光源２を収容する領域の長尺方向の略中心位置よりも、筐体４０に設置される撮像ユニット３寄りの位置に収容されてよい。この点について、図５を用いて説明する。図５は、実施形態にかかる照明装置の設置態様の一例を模式的に示す図である。
【００７５】
ここで、図２は、撮像ユニットおよび収容部の一例を示す分解斜視図であったが、図５では、筐体４０に対して制御ユニット７および撮像ユニット３が収容された態様を真上から見た図である。図５に示すように、筐体４０内に撮像ユニット３が収容される場合、制御ユニット７は、筐体４０の右端の内面４１、および、遮光カバー３０をはめ込むことで出来る左端の内面４１とを結ぶ領域の長尺方向の略中心位置よりも、撮像ユニット３（遮光カバー３０）寄りの位置に収容される。
【００７６】
また、図５に示すように、照明装置１と撮像ユニット３とは、通常の電気配線Ｌ１およびデータ通信用の通信配線Ｌ２で結ばれる。図５の例では、電気配線Ｌ１および通信配線Ｌ２の配線数はそれぞれ１つであるが、この数は限定されない。また、通信配線Ｌ２は、シールドされる。照明装置１の本体部４は、通信配線Ｌ２を介して、撮像ユニット３から撮像データを受信するが、通信配線Ｌ２がシールドされていない場合、外部の電磁波等のノイズの影響で安定して撮像データを受信することができない場合がある。一方、通信配線Ｌ２がシールドされていれば、本体部４は、安定して撮像データを受信できるようになる。
【００７７】
また、図５の例では、筐体４０の左端の内面４１により、ＷｉＦｉが搭載された制御ユニット７と撮像ユニット３との間が物理的に仕切られている。これにより、例えば、通信配線Ｌ２がＷｉＦｉからノイズの影響を受けることを軽減することができるため、撮像データの送受信を安定させることができる。図３において、接続端子１６と撮像ユニット３とを結ぶ２つの配信のうち、いずれか一方は電気配線Ｌ１であり、他方は通信配線Ｌ２である。
【００７８】
なお、撮像ユニット３が、筐体４０に隣接する形で筐体４０の外部に設置される場合には、照明装置１（制御ユニット７）は、筐体４０の右端の内面４１、および、筐体４０の左端の内面４１とを結ぶ長尺方向の略中心位置よりも、撮像ユニット３寄りの位置に収容される。
【００７９】
このように実施形態にかかる照明装置１を筐体４０に収容させることで、電気配線Ｌ１および通信配線Ｌ２の長さを短くすることができるようになるため、電気配線Ｌ１および通信配線Ｌ２を手作業で配線する場合の引き回しを容易にすることができる。
【００８０】
さて、これまで実施形態にかかる照明装置１について説明してきた、以下では、従来技術と比較して実施形態にかかる照明装置１が有利な点について説明する。例えば、上述したように、保守作業モードを検出し、かつ、エレベーターの乗りかごの扉の閉状態を検出した場合に、監視カメラが撮影した映像を録画する記録装置内の映像データを端末装置に送信するシステムに関する従来技術がある。この従来技術では、カメラの動作自体はシステムから独立しており、また、データ通信を行うためには複雑なシステム構成が必要とされる。このため、従来技術では、カメラによる撮像に必要な電源と照度を容易にカメラに供給することができるとは限らない。
【００８１】
また、この従来技術は、エレベーター内という特殊な閉鎖空間に限定されたシステムであり、オフィスなどの解放された空間での課題（カメラへの電源の供給方法や撮像するタイミング）は考慮されていない。一方で、実施形態にかかる照明装置１は、光源２の点灯状況が変わる状況であってもカメラ３３への電源確保と照度確保の両方を満たす状態で撮像することができる。また、実施形態にかかる照明装置１は、光源２とカメラ３３の電源が共有化されているため、カメラ機能と照明機能との一体化を容易に実現することができるとともに、電源確保と照度確保の両方を満たす状態で撮像することができる。
【００８２】
また、実施形態に係る照明装置１は、データ通信時に光源２の点灯態様を変化させることで外部から判別しやすいため、従来技術のように特殊な閉鎖空間でなくともデータ通信時のセキュリティを確保することができる。
【符号の説明】
【００８３】
１      照明装置
２      光源
３      撮像ユニット
４      本体部
７      制御ユニット
１３ａ  電源部
１３ｂ  制御部
１５    発光素子
１６    接続端子
１７    記憶部
３２    撮像制御部
３３    カメラ
３４    記憶部
４０    筐体
５０    収容部
【図１】
2020145005.tif 000003
【図２】
2020145005.tif 000004
【図３】
2020145005.tif 000005
【図４】
2020145005.tif 000006
【図５】
2020145005.tif 000007